(57)【要約】      （修正有）【課題】事業者に預けた修理対象物の扱いを明らかにして依頼者の不安を取り除くとともに、修理進行の円滑さを介して事業者にアピールの機会を与え、「故障品を修理再生するビジネス」の普及を支援することができる修理依頼仲介システム、このシステムが備えるサーバ、修理依頼仲介方法、この修理依頼仲介方法をサーバに実行させるためのコンピュータプログラム及びこのコンピュータプログラムを記録する可搬式記録媒体を提供する。【解決手段】サーバ３が、依頼者が所望する依頼内容に適した事業者を抽出し、抽出した事業者のいずれかと依頼者とに対し、進行状況が実時間で更新される進行状況ナビ画面を提供する。【選択図】図１
2013210840.tif 000002
【特許請求の範囲】
【請求項１】
依頼者が操作可能な依頼者端末装置と、修理を請負う事業者が操作可能な複数の事業者端末装置と、これらと通信網を介して接続可能な仲介業者側のサーバとを備える修理依頼仲介システムにおいて、
請負可能な条件を含む事業者に関する情報を事業者毎に分類して記憶する事業者テーブルと、依頼者が所望する依頼内容を格納するフィールド及び事業者との取引の進行状況を格納するフィールドを備える案件レコードを案件毎に分類して記憶する案件テーブルとを格納するデータベース部を備え、
前記サーバは、
依頼者が入力した前記依頼内容及び見積依頼を前記依頼者端末装置から受信した場合、受信した前記依頼内容を前記案件レコードに格納する手段と、
格納する前記依頼内容と前記請負可能な条件との関係に基づき、依頼内容に適した事業者に関する情報を前記事業者テーブルから抽出する抽出手段と、
抽出した事業者が操作可能な事業者端末装置から送信される見積書と前記依頼者端末装置から送信される前記見積書に対する回答との授受を仲介する手段と、
前記仲介の結果、注文依頼を示す回答を前記依頼者端末装置から受信した場合、注文を受けた見積書を前記案件レコードに関連づけ、前記取引の進行状況を示す表示領域と該進行状況の工程を進める遷移要求の入力領域とを備える進行ナビの画面情報を、注文を受けた事業者が操作可能な事業者端末装置及び前記依頼者端末装置に送信する手段と、
これらの端末装置から前記遷移要求を受信する都度、受信した遷移要求に応じて前記案件レコード内の進行状況フィールドの値を更新する更新手段と、
更新後の進行状況を表示する前記進行ナビの画面情報を再送する手段と、
前記更新手段により前記進行状況フィールドの値が最終工程に達した場合、前記案件レコードに取引完了のフラグを立て、取引が完了した旨の通知を送信する手段と
を備えることを特徴とする修理依頼仲介システム。
【請求項２】
前記見積書は、事業者識別情報及び取引完了後の保証期間に関する情報を含み、
前記サーバは、
取引完了のフラグを立てた案件に対する伝言を前記依頼者端末装置から受信した場合、該案件のレコードに関連づけた見積書の内容に基づき、該案件が保証期間内であるか否かを判定する手段と、
前記案件が保証期間内であると判定した場合、前記依頼者端末装置から送信される伝言と前記見積書を示す事業者が操作可能な端末装置から送信される回答との授受を仲介する手段と
を備えることと特徴とする請求項１に記載の修理依頼仲介システム。
【請求項３】
前記依頼者端末装置は、
前記抽出手段にて抽出された事業者に関する情報を前記サーバから受信した場合、受信した事業者に関する情報を表示する出力手段を備え、
前記サーバは、
取引した事業者に対する、納期、料金及び対応などについての各評価を前記依頼者端末装置から受信した場合、受信した各評価に基づき、該事業者についての総合評価を算出する手段と、
算出した前記総合評価が高い順に、該当する事業者に関する情報を優先的に表示させる画面情報を前記依頼者端末装置に送信する手段と
を備えることを特徴とする請求項１又は２に記載の修理依頼仲介システム。
【請求項４】
外部装置と通信網を介して接続可能なサーバにおいて、
前記サーバは、
請負可能な条件を含む事業者に関する情報を事業者毎に分類して記憶する事業者テーブルと、依頼者が所望する依頼内容を格納するフィールド及び事業者との取引の進行状況を格納するフィールドを備える案件レコードを案件毎に分類して記憶する案件テーブルとを格納するデータベース部と接続可能であり、
依頼者が入力した前記依頼内容及び見積依頼を該依頼者が操作可能な依頼者端末装置から受信した場合、受信した前記依頼内容を前記案件レコードに格納する手段と、
格納する前記依頼内容と前記請負可能な条件との関係に基づき、依頼内容に適した事業者に関する情報を前記事業者テーブルから抽出する抽出手段と、
抽出した事業者が操作可能な事業者端末装置から送信される見積書と前記依頼者端末装置から送信される前記見積書に対する回答との授受を仲介する手段と、
前記仲介の結果、注文依頼を示す回答を前記依頼者端末装置から受信した場合、注文を受けた見積書を前記案件レコードに関連づけ、前記取引の進行状況を示す表示領域と該進行状況の工程を進める遷移要求の入力領域とを備える進行ナビの画面情報を、注文を受けた事業者が操作可能な事業者端末装置及び前記依頼者端末装置に送信する手段と、
これらの端末装置から前記遷移要求を受信する都度、受信した遷移要求に応じて前記案件レコード内の進行状況フィールドの値を更新する更新手段と、
更新後の進行状況を表示する前記進行ナビの画面情報を再送する手段と、
前記更新手段により前記進行状況フィールドの値が最終工程に達した場合、前記案件レコードに取引完了のフラグを立て、取引が完了した旨の通知を送信する手段と
を備えることを特徴とするサーバ。
【請求項５】
取引完了のフラグを立てた案件に対する伝言を前記依頼者端末装置から受信した場合、該案件のレコードに関連づけた、事業者識別情報及び取引完了後の保証期間に関する情報を含む見積書の内容に基づき、該案件が保証期間内であるか否かを判定する手段と、
前記案件が保証期間内であると判定した場合、前記依頼者端末装置から送信される伝言と前記見積書を示す事業者が操作可能な端末装置から送信される回答との授受を仲介する手段と
を更に備えることと特徴とする請求項４に記載のサーバ。
【請求項６】
取引した事業者に対する、納期、料金及び対応などについての各評価を前記依頼者端末装置から受信した場合、受信した各評価に基づき、該事業者についての総合評価を算出する手段と、
算出した前記総合評価が高い順に、該当する事業者に関する情報を優先的に表示させる画面情報を前記依頼者端末装置に送信する手段と
を備えることを特徴とする請求項４又は５に記載のサーバ。
【請求項７】
通信網を介して接続可能なサーバにより、対象物の修理を依頼する依頼者と修理を請負う事業者との間を仲介する修理依頼仲介方法において、
請負可能な条件を含む事業者に関する情報を事業者毎に分類して記憶する事業者テーブルと、依頼者が所望する依頼内容を格納するフィールド及び事業者との取引の進行状況を格納するフィールドを備える案件レコードを案件毎に分類して記憶する案件テーブルとを格納するデータベース部を用い、
前記サーバにより、
依頼者が入力した前記依頼内容及び見積依頼を該依頼者が操作可能な依頼者端末装置から受信し、受信した前記依頼内容を前記案件レコードに格納し、
格納する前記依頼内容と前記請負可能な条件との関係に基づき、依頼内容に適した事業者に関する情報を前記事業者テーブルから抽出し、
抽出した事業者が操作可能な事業者端末装置から送信される見積書と前記依頼者端末装置から送信される前記見積書に対する回答との授受を仲介し、
前記仲介の結果、注文依頼を示す回答を前記依頼者端末装置から受信した場合、注文を受けた見積書を前記案件レコードに関連づけ、前記取引の進行状況と示す表示領域と該進行状況の工程を進める遷移要求の入力領域とを備える進行ナビの画面情報を、注文を受けた事業者が操作可能な事業者端末装置及び前記依頼者端末装置に送信し、
これらの端末装置から前記遷移要求を受信する都度、受信した遷移要求に応じて前記案件レコード内の進行状況フィールドの値を更新し、
更新後の進行状況を表示する前記進行ナビの画面情報を再送し、
前記進行状況フィールドの値が最終工程に達した場合、前記案件レコードに取引完了のフラグを立て、取引が完了した旨の通知を送信することを特徴とすることを特徴とする修理依頼仲介方法。
【請求項８】
コンピュータに、請負可能な条件を含む事業者に関する情報を事業者毎に分類して記憶する事業者テーブルと、依頼者が所望する依頼内容を格納するフィールド及び事業者との取引の進行状況を格納するフィールドを備える案件レコードを案件毎に分類して記憶する案件テーブルとを格納するデータベース部と接続させ、
コンピュータに、依頼者が入力した前記依頼内容及び見積依頼を該依頼者が操作可能な依頼者端末装置から受信した場合、受信した前記依頼内容を前記案件レコードに格納させるステップと、
コンピュータに、格納する前記依頼内容と前記請負可能な条件との関係に基づき、依頼内容に適した事業者に関する情報を前記事業者テーブルから抽出させるステップと、
コンピュータに、抽出した事業者が操作可能な事業者端末装置から送信される見積書と前記依頼者端末装置から送信される前記見積書に対する回答との授受を仲介させるステップと、
コンピュータに、前記仲介の結果、注文依頼を示す回答を前記依頼者端末装置から受信した場合、注文を受けた見積書を前記案件レコードに関連づけ、前記取引の進行状況を示す表示領域と該進行状況の工程を進める遷移要求の入力領域とを備える進行ナビの画面情報を、注文を受けた事業者が操作可能な事業者端末装置及び前記依頼者端末装置に送信させるステップと、
コンピュータに、これらの端末装置から前記遷移要求を受信する都度、受信した遷移要求に応じて前記案件レコード内の進行状況フィールドの値を更新させるステップと、
コンピュータに、更新後の進行状況を表示する前記進行ナビの画面情報を再送させるステップと、
コンピュータに、前記進行状況フィールドの値が最終工程に達した場合、前記案件レコードに取引完了のフラグを立て、取引が完了した旨の通知を送信させるステップと
を実行させることを特徴とするコンピュータプログラム。
【請求項９】
コンピュータに、取引完了のフラグを立てた案件に対する伝言を前記依頼者端末装置から受信した場合、該案件のレコードに関連づけた、事業者識別情報及び取引完了後の保証期間に関する情報を含む見積書の内容に基づき、該案件が保証期間内であるか否かを判定させるステップと、
コンピュータに、前記案件が保証期間内であると判定した場合、前記依頼者端末装置から送信される伝言と前記見積書を示す事業者が操作可能な事業者端末装置から送信される回答との授受を仲介させるステップと
を実行させることを特徴とする請求項８に記載のコンピュータプログラム。
【請求項１０】
コンピュータに、取引した事業者に対する、納期、料金及び対応などについての各評価を前記依頼者端末装置から受信した場合、受信した各評価に基づき、該事業者についての総合評価を算出させるステップと、
算出した前記総合評価が高い順に、該当する事業者に関する情報を優先的に表示させる画面情報を前記依頼者端末装置に送信させるステップと
を実行させることを特徴とする請求項８又は９に記載のコンピュータプログラム。
【請求項１１】
コンピュータに、請負可能な条件を含む事業者に関する情報を事業者毎に分類して記憶する事業者テーブルと、依頼者が所望する依頼内容を格納するフィールド及び事業者との取引の進行状況を格納するフィールドを備える案件レコードを案件毎に分類して記憶する案件テーブルとを格納するデータベース部と接続され、
コンピュータに、依頼者が入力した前記依頼内容及び見積依頼を該依頼者が操作可能な依頼者端末装置から受信した場合、受信した前記依頼内容を前記案件レコードに格納させるステップと、
コンピュータに、格納する前記依頼内容と前記請負可能な条件との関係に基づき、依頼内容に適した事業者に関する情報を前記事業者テーブルから抽出させるステップと、
コンピュータに、抽出した事業者が操作可能な事業者端末装置から送信される見積書と前記依頼者端末装置から送信される前記見積書に対する回答との授受を仲介させるステップと、
コンピュータに、前記仲介の結果、注文依頼を示す回答を前記依頼者端末装置から受信した場合、注文を受けた見積書を前記案件レコードに関連づけ、前記取引の進行状況を示す表示領域と該進行状況の工程を進める遷移要求の入力領域とを備える進行ナビの画面情報を、注文を受けた事業者が操作可能な事業者端末装置及び前記依頼者端末装置に送信させるステップと、
コンピュータに、これらの端末装置から前記遷移要求を受信する都度、受信した遷移要求に応じて前記案件レコード内の進行状況フィールドの値を更新させるステップと、
コンピュータに、更新後の進行状況を表示する前記進行ナビの画面情報を再送させるステップと、
コンピュータに、前記進行状況フィールドの値が最終工程に達した場合、前記案件レコードに取引完了のフラグを立て、取引が完了した旨の通知を送信させるステップと
実行させるコンピュータプログラムを記憶してあることを特徴とするコンピュータでの読取り可能な可搬式記録媒体。
【請求項１２】
コンピュータに、取引完了のフラグを立てた案件に対する伝言を前記依頼者端末装置から受信した場合、該案件のレコードに関連づけた、事業者識別情報及び取引完了後の保証期間に関する情報を含む見積書の内容に基づき、該案件が保証期間内であるか否かを判定させるステップと、
コンピュータに、前記案件が保証期間内であると判定した場合、前記依頼者端末装置から送信される伝言と前記見積書を示す事業者が操作可能な事業者端末装置から送信される回答との授受を仲介させるステップと
を実行させるコンピュータプログラムを記憶してあることを特徴とする請求項１１に記載のコンピュータでの読取り可能な可搬式記録媒体。
【請求項１３】
コンピュータに、取引した事業者に対する、納期、料金及び対応などについての各評価を前記依頼者端末装置から受信した場合、受信した各評価に基づき、該事業者についての総合評価を算出させるステップと、
算出した前記総合評価が高い順に、該当する事業者に関する情報を優先的に表示させる画面情報を前記依頼者端末装置に送信させるステップと
を実行させるコンピュータプログラムを記憶してあることを特徴とする請求項１１又は１２に記載のコンピュータでの読取り可能な可搬式記録媒体。
【発明の詳細な説明】
【技術分野】
【０００１】
本発明は、通信網を介して接続可能なサーバにより、修理を依頼する依頼者と修理を請負う事業者との間を仲介する修理依頼仲介システム、このシステムが備えるサーバ、修理依頼仲介方法、この修理依頼仲介方法をサーバに実行させるためのコンピュータプログラム及びこのコンピュータプログラムを記録する可搬式記録媒体に関する。
【背景技術】
【０００２】
従来、市場では、衣服、健康器具、日用品、家具、スポーツ用品及び家庭用電気製品などの多様な製品が、企業により生産されて供給されている。また、これらの製品の製造企業や販売企業は、故障や破損が生じた製品を故障前の状態に戻すサポートサービスを行っている。
【０００３】
しかし、近年、「大量生産・大量消費社会」への発展に伴い、製品が低価格で生産販売されるようになり、製品を修理するより製品を新たに購入する方が安価になっている。そのため、市場は、故障した製品が安易に廃棄される「使い捨て社会」へと変貌している。
【０００４】
一方、市場において、希少金属や石油などの資源の枯渇や廃棄物処理場の不足などが顕在化するに伴い、「大量生産・大量消費社会」や「使い捨て社会」というライフスタイルを改め、「再利用・再資源型社会」に対する関心が高まっている。その結果、市場では、「故障した製品を修理再生するビジネス」が注目され、これらのビジネスを支援するためのシステムが多く提案されている。
【０００５】
例えば、サーバが、依頼者端末装置から受け付けた依頼内容を複数の事業者端末装置に送信し、送信した依頼内容に基づき提示される見積情報を各事業者端末装置から集約し、集約した情報に基づき一覧を生成し、生成した一覧を依頼者端末装置に送信する依頼仲介システムが提案されている（例えば、特許文献１）。
【０００６】
その結果、依頼者は、複数の事業者が提示する見積情報を同時に入手することができ、各社の見積を比較して所望する事業者を容易に選定することができる。一方、事業者は、見積依頼を受ける機会が増し、他社との競争を通じて業績を向上させることができる。
【先行技術文献】
【特許文献】
【０００７】
【特許文献１】特開２００２−１９７２１１号公報
【発明の概要】
【発明が解決しようとする課題】
【０００８】
しかしながら、特許文献１に記載されるシステムにあっては、多数の見積が提示された場合、多数の見積書を確認することとなり、依頼者に過大な負担を掛けることとなる。また、このシステムにあっては、最安値の見積を提示した事業者が有利となるため、人件費などの削減に伴う、サービス内容の質の低下を招来するおそれがある。
【０００９】
また、このシステムにあっては、依頼者と事業者とが、直接、顔をあわせることなく、通信網を介して取引し、注文後の作業の進捗状況についても互いに確認する手段を備えていない。そのため、依頼者は、預けた商品がどのように扱われているのかという不安を感じる一方、事業者は、自らの応対やサービス内容の高さをアピールすることができない。
【００１０】
このように、従来のシステムにあっては、有望な「故障した製品を修理再生するビジネス」を成長させることができず、却って阻害している。
【００１１】
本発明はかかる事情を鑑みてなされたものであり、サーバが、依頼者が所望する依頼内容に適した事業者を抽出し、抽出した事業者のいずれかと依頼者とに対し、実時間で更新される進行状況ナビ画面を提供することにより、事業者に預けた修理対象物の扱いを明らかにして依頼者の不安を取り除くとともに、事業者に自らの手際の良さをアピールする機会を与え、「故障した製品を修理再生するビジネス」の普及を確実に支援することができる修理依頼仲介システム、このシステムが備えるサーバ、修理依頼仲介方法、この修理依頼仲介方法をサーバに実行させるためのコンピュータプログラム及びこのコンピュータプログラムを記録する可搬式記録媒体を提供することを目的とする。
【課題を解決するための手段】
【００１２】
本発明に係る修理依頼仲介システム、このシステムを備えるサーバ、修理依頼仲介方法、この修理依頼仲介方法をサーバに実行させるコンピュータプログラム、このコンピュータプログラムを記録する可搬式記録媒体は、依頼者が操作可能な依頼者端末装置と、修理を請負う事業者が操作可能な複数の事業者端末装置と、これらと通信網を介して接続可能な仲介業者側のサーバとを備える修理依頼仲介システムにおいて、請負可能な条件を含む事業者に関する情報を事業者毎に分類して記憶する事業者テーブルと、依頼者が所望する依頼内容を格納するフィールド及び事業者との取引の進行状況を格納するフィールドを備える案件レコードを案件毎に分類して記憶する案件テーブルとを格納するデータベース部を備え、前記サーバは、依頼者が入力した前記依頼内容及び見積依頼を前記依頼者端末装置から受信した場合、受信した前記依頼内容を前記案件レコードに格納する手段と、格納する前記依頼内容と前記請負可能な条件との関係に基づき、依頼内容に適した事業者に関する情報を前記事業者テーブルから抽出する抽出手段と、抽出した事業者が操作可能な事業者端末装置から送信される見積書と前記依頼者端末装置から送信される前記見積書に対する回答との授受を仲介する手段と、前記仲介の結果、注文依頼を示す回答を前記依頼者端末装置から受信した場合、注文を受けた見積書を前記案件レコードに関連づけ、前記取引の進行状況を示す表示領域と該進行状況の工程を進める遷移要求の入力領域とを備える進行ナビの画面情報を、注文を受けた事業者が操作可能な事業者端末装置及び前記依頼者端末装置に送信する手段と、これらの端末装置から前記遷移要求を受信する都度、受信した遷移要求に応じて前記案件レコード内の進行状況フィールドの値を更新する更新手段と、更新後の進行状況を表示する前記進行ナビの画面情報を再送する手段と、前記更新手段により前記進行状況フィールドの値が最終工程に達した場合、前記案件レコードに取引完了のフラグを立て、取引が完了した旨の通知を送信する手段とを備えることを特徴とする。
【００１３】
本発明にあっては、サーバが、依頼者が所望する依頼内容に適した事業者を自動的に抽出することにより、多数の事業者の中から、見積依頼の候補となる事業者を絞り込むことができ、依頼者の負担を軽減する。また、本発明は、サーバが、注文依頼をした依頼者と注文依頼された事業者とに対して実時間で更新される進行状況ナビ画面を送信することにより、事業者に預けた修理対象物の扱いを明らかにして依頼者の不安を取り除くとともに事業者に自らの手際の良さをアピールする機会を与えることができる。
【００１４】
また、本発明に係る修理依頼仲介システム、このシステムを備えるサーバ、修理依頼仲介方法、この修理依頼仲介方法をサーバに実行させるコンピュータプログラム、このコンピュータプログラムを記録する可搬式記録媒体は、前記見積書は、事業者識別情報及び取引完了後の保証期間に関する情報を含み、前記サーバは、取引完了のフラグを立てた案件に対する伝言を前記依頼者端末装置から受信した場合、該案件のレコードに関連づけた見積書の内容に基づき、該案件が保証期間内であるか否かを判定する手段と、前記案件が保証期間内であると判定した場合、前記依頼者端末装置から送信される伝言と前記見積書を示す事業者が操作可能な端末装置から送信される回答との授受を仲介する手段とを備えることと特徴とする。
【００１５】
本発明にあっては、サーバが、取引完了分の保証期間であるか否かを判定することにより、事業者側は、保証期間内の案件のみを正確に受任することができるとともに、依頼者側は、保証期間内であれば充実した保証を確実に受けることができる。
【００１６】
また、本発明に係る修理依頼仲介システム、このシステムを備えるサーバ、修理依頼仲介方法、この修理依頼仲介方法をサーバに実行させるコンピュータプログラム、このコンピュータプログラムを記録する可搬式記録媒体は、前記依頼者端末装置は、前記抽出手段にて抽出された事業者に関する情報を前記サーバから受信した場合、受信した事業者に関する情報を表示する出力手段を備え、前記サーバは、取引した事業者に対する、納期、料金及び対応などについての各評価を前記依頼者端末装置から受信した場合、受信した各評価に基づき、該事業者についての総合評価を算出する手段と、算出した前記総合評価が高い順に、該当する事業者に関する情報を優先的に表示させる画面情報を前記依頼者端末装置に送信する手段とを備えることを特徴とする。
【００１７】
本発明にあっては、サーバが、各事業者に対する総合評価を自動的に算出し、算出した総合評価が高い順番に事業者に関する情報を優先的に表示する画像情報を依頼者端末装置に送信するので、依頼者側は、総合的な評価の高い事業者から順番にアクセスすることができ、質の高いサービスを提供する事業者に依頼することができる。一方、事業者側は、依頼者に対する応対やサービス内容など総合的な評価を介して他社と競争することができ、サービス内容などを犠牲とした安価な費用での受任を回避することができる。その結果、本発明は、有望な「故障品を修理再生するビジネス」を確実に支援することができ、「再利用・再資源型社会」の実現に大きな影響を与えることができる。
【発明の効果】
【００１８】
本発明は、依頼者が所望する依頼内容に適した事業者を確実に引き合わせることができ、注文後の依頼者と事業者との対話を支援するともに進行状況を明確にすることができ、更に、高い評価を得た事業者を依頼者に確実に引き合わせることができる。その結果、有望な「故障品を修理再生するビジネス」を確実に支援して「再利用・再資源型社会」の実現に大きな影響を与えることができる。
【図面の簡単な説明】
【００１９】
【図１】本発明に係る修理依頼仲介システムの全体構成を示す図面である。
【図２】本発明に係る修理依頼仲介システムが備えるサーバなどの構成を示す模式図である。
【図３】サーバが備えるＣＰＵの機能を示すブロック図である。
【図４】端末装置が表示する該当事業者に関する情報の画面例を示す図である。
【図５】依頼者端末装置が表示する依頼内容の入力フォームの画面例を示す図である。
【図６】依頼者端末装置が表示する各事業者の詳細情報の画面例を示す図である。
【図７】事業者端末装置が表示する見積書の入力フォームの画面例を示す図である。
【図８】依頼者端末装置が表示する見積書に関する情報の画面例を示す図である。
【図９】依頼者端末装置が表示する見積書に関する詳細情報の画面例を示す図である。
【図１０】端末装置が表示する進行ナビ画面の一例を示す図である。
【図１１】依頼者端末装置が表示するクチコミ評価情報の画面例を示す図である。
【図１２】データベースが格納するカテゴリテーブルの内容を示す図である。
【図１３】データベースが格納する都道府県テーブルの内容を示す図である。
【図１４】データベースが格納する住所テーブルの内容を示す図である。
【図１５】データベースが格納する事業者の基本情報格納テーブルの内容を示す図である。
【図１６】データベースが格納する事業者請負可能カテゴリ格納テーブルの内容を示す図である。
【図１７】データベースが格納する事業者の料金プラン格納テーブルの内容を示す図である。
【図１８】データベースが格納する依頼者テーブルの内容を示す図である。
【図１９】データベースが格納するパスワードテーブルの内容を示す図である。
【図２０】データベースが格納する案件テーブルの内容を示す図である。
【図２１】データベースが格納する見積依頼を受けた事業者格納テーブルの内容を示す図である。
【図２２】データベースが格納する見積書作成テーブルの内容を示す図である。
【図２３】データベースが格納する見積書表示テーブルの内容を示す図である。
【図２４】データベースが格納する注文後の対話格納テーブルの内容を示す図である。
【図２５】データベースが格納する取引完了分の保証期間内の対話格納テーブルの内容を示す図である。
【図２６】データベースが格納する事業者評価格納テーブルの内容を示す図である。
【図２７】データベースが格納する評価アイテム格納テーブルの内容を示す図である。
【図２８】データベースが格納するお気に入り事業者格納テーブルの内容を示す図である。
【図２９】サーバが実行する修理依頼仲介処理の手順を示すフローチャートである。
【図３０】サーバが実行する修理依頼仲介処理の手順を示すフローチャートである。
【図３１】サーバが実行する修理依頼仲介処理の手順を示すフローチャートである。
【図３２】サーバが実行する取引完了分の保証処理の手順を示すフローチャートである。
【図３３】サーバが実行するクチコミ評価処理の手順を示すフローチャートである。
【図３４】サーバが実行する該当事業者順位決定処理の手順を示すフローチャートである。
【図３５】サーバが実行する修理依頼仲介処理（オープン案件）の手順を示すフローチャートである。
【発明を実施するための形態】
【００２０】
本発明に係る修理依頼仲介システムについて、本実施の形態を示す図面に基づき以下説明する。図１は本発明に係る修理依頼仲介システムの全体構成を示す図である。図１において、１は依頼者端末装置であり、２は事業者端末装置であり、３はサーバである。依頼者端末装置１と事業者端末装置２とサーバ３とは、通信網ＮＷを介して接続されており、データの授受がなされる。
【００２１】
依頼者端末装置１は、依頼者が操作可能な情報端末装置であり、画像出力が可能なモニタ１０と、依頼者が入力する情報を受け付ける入力装置１１とを備える。依頼者は、修理対象物の修理を希望する者である。また、情報端末装置は、例えば、インターネットへの接続可能なパーソナルコンピュータ、多機能携帯電話機及びＰＤＡ（Personal Digital Assistant）等が該当する。
【００２２】
事業者端末装置２は、事業者が操作可能な情報端末装置であり、依頼者端末装置１と同様に、画像出力可能なモニタ２０と、事業者が入力する情報を受け付ける入力装置２１とを備える。事業者は、修理対象物の修理を請け負う事業者であり、複数存在する。また、各事業者は、それぞれ請負可能なカテゴリや所在地が異なっており、平均評価に基づくクチコミ評価や、総合評価に基づく順位付けがなされている。
【００２３】
サーバ３は、仲介業者が操作可能な中央装置であり、画像出力可能なモニタ３０と、仲介業者が入力する情報を受け付ける入力装置３１とを備える。また、サーバ３は、データベース４内の各種テーブルＴに適宜アクセスして処理を実行することができる。
【００２４】
図２は本発明に係る修理依頼仲介システムが備えるサーバ３などの構成を示す模式図である。サーバ３は、ＣＰＵ３００と、外部記憶部３０１と、通信部３０３と、主記憶部３０４と、補助記憶部３０５と、データベース通信部３０６と、情報出力Ｉ／Ｆ３０７と、情報入力Ｉ／Ｆ３０８と、タイマ３０９とを備え、これらがバス３１０を介して接続されている。
【００２５】
ＣＰＵ３００は、開示のコンピュータプログラムに従い、図３に示す各種機能を備える。各種機能については後述する。
【００２６】
外部記憶部３０１は、可搬式記録媒体３０２に対してデータの読み書きを行うリーダライタである。リーダライタの一例は、フレキシブルディスクドライブ、ＭＯドライブ、ＣＤ−Ｒドライブ、磁気テープドライブ、メモリカードリーダライタ又はＵＳＢメモリを着脱するためのインタフェースである。外部記憶部３０１は、可搬式記録媒体３０２に記録してあるコンピュータプログラムを読み出し、読み出したコンピュータプログラムを補助記憶部３０５に保存する。
【００２７】
通信部３０３は、通信網ＮＷと接続して依頼者端末装置１及び事業者端末装置２とデータの授受を仲介する。
【００２８】
主記憶部３０４は、ＣＰＵ３００の実行により生じたデータ及び補助記憶部３０５から読み出したデータを一時的に記憶する。主記憶部３０４は、ＳＤＲＡＭ（Synchronous DRAM）又はＳＲＡＭ（Static RAM）などの半導体が該当する。
【００２９】
補助記憶部３０５は、ＣＰＵ３００、外部記憶部３０１、通信部３０３、主記憶部３０４、データベース通信部３０６及び情報入力Ｉ／Ｆ３０８から受け付けた情報を記憶する。補助記憶部３０５は、磁気ディスク記録方式のハードディスクドライブ（ＨＤＤ）又はＮＡＮＤ素子で構成されるフラッシュソリッドステートドライブ（Ｆｌａｓｈ  ＳＳＤ）が該当する。
【００３０】
データベース通信部３０６は、データベース４と接続してデータベース4内に格納される各種テーブルＴにアクセスし、データの授受を仲介する手段である。
【００３１】
情報出力Ｉ／Ｆ３０７は、ＣＰＵ３００、主記憶部３０４及び補助記憶部３０５から受け付けた情報を外部装置に出力する手段である。出力先となる外部装置は、例えば、モニタ３０である。
【００３２】
情報入力Ｉ／Ｆ３０８は、入力装置３１で入力されたデータを受け付ける手段であり、受け付けたデータを主記憶部３０４及び補助記憶部３０５に出力する。入力装置３１は、例えば、キーボードやマウスなどである。
【００３３】
タイマ３０９は、情報を送信してからの経過時間を計時し、所定の時間に達した際に所定の条件を満たしているか否かの判定を行う場合に用いられる。
【００３４】
図３はサーバ３が備えるＣＰＵ３００の機能を示すブロック図である。ＣＰＵ３００は、少なくとも、データベース管理部３１１と、通信制御部３１２と、修理依頼仲介制御部３１３と、進行状況管理部３１４と、保証期間仲介制御部３１５と、事業者評価演算部３１６としての機能を備える。
【００３５】
サーバ３のＣＰＵ３００は、データベース管理部３１１としてデータベース通信部３０６を制御することにより、データベース４に格納される各種テーブルＴにアクセスし、アクセスしたテーブルＴから所定のレコードを抽出する。また、ＣＰＵ３００は、レコードから所定の値を抽出するか、レコードに所定の値を格納する。
【００３６】
サーバ３のＣＰＵ３００は、通信制御部３１２としてデータベース４から端末装置の連絡先を抽出する。また、ＣＰＵ３００は、通信部３０３を制御することにより、連絡先が示す端末装置との間でデータの授受を行う。
【００３７】
サーバ３のＣＰＵ３００は、修理依頼仲介制御部３１３として通信制御部３１２の上位機能となり、依頼者端末装置１と事業者端末装置２との間で、データの授受を仲介する。また、ＣＰＵ３００は、修理依頼仲介制御部３１３としてデータベース管理部３１１の上位機能となり、データの授受により生じた値に基づき該当するレコードを新規作成又は更新する。
【００３８】
サーバ３のＣＰＵ３００は、進行状況管理部３１４として通信制御部３１２の上位機能となり、依頼者の端末装置１と、依頼者から注文依頼を受けた事業者の端末装置２との間でデータの授受を仲介する。また、ＣＰＵ３００は、進行状況管理部３１４としてデータベース管理部３１１の上位機能となり、データの授受により生じた進行状況に基づき該当するレコードを新規作成又は更新する。
【００３９】
サーバ３のＣＰＵ３００は、保証期間仲介制御部３１５として通信制御部３１２の上位機能となり、依頼者の端末装置１と、依頼者から注文依頼を受けていた事業者の端末装置２との間でデータの授受を仲介する。また、ＣＰＵ３００は、保証期間仲介制御部３１５としてデータベース管理部３１１の上位機能となり、データベースの授受により生じた値に基づき該当するレコードを新規作成又は更新する。
【００４０】
サーバ３のＣＰＵ３００は、事業者評価演算部３１６として、依頼者端末装置１から受信した事業者に対する各評価に基づき平均評価と算出し、該当するレコードに格納する。また、ＣＰＵ３００は、平均評価及びその他の値に基づき総合評価を算出し、算出した総合評価に基づき各事業者の順位付けを行う。
【００４１】
データベース４が記憶する各種テーブルＴは、以下の通りである。図１２はデータベース４が格納するカテゴリテーブルＴ１の内容を示す図である。カテゴリテーブルＴ１は、図１２に示すように、カテゴリコードと、カテゴリ名と、１〜ｎ階層のカテゴリのキーワードとを関連付けて格納する。なお、カテゴリテーブルＴ１は、仲介業者により予めデータベース４に登録されている。
【００４２】
図１３はデータベース４が格納する都道府県テーブルＴ２の内容を示す図である。都道府県テーブルＴ２は、図１３に示すように、都道府県コードと、各都道府県の名称とを関連付けて格納する。なお、都道府県テーブルＴ２は、仲介業者により予めデータベース４に登録されている。
【００４３】
図１４はデータベース４が格納する住所テーブルＴ３の内容を示す図である。住所テーブルＴ３は、図１４に示すように、市区町村コードと、郵便番号と、都道府県の名称と、市区町村の名称と、その他の住所（番地など）とを関連付けて格納する。なお、住所テーブルＴ３は、仲介業者により予めデータベース４に登録されている。
【００４４】
図１５はデータベース４が格納する事業者の基本情報格納テーブルＴ４の内容を示す図である。事業者の基本情報格納テーブルＴ４は、図１５に示すように、事業者ＩＤと、事業者名フリガナと、事業者名と、代表者名と、担当部署と、担当者名と、事業者所在の郵便番号と、都道府県コードと、市区町村コードと、番地と、事業者の電話番号と、ＦＡＸ番号と、ｅメールアドレスと、事業者のウェブページのＵＲＬと、事業内容と、自己紹介と、複数の事業者画像１〜ｎと、これらの画像に対応するコメント１〜ｎと、事業者所在地を示す地図のウェブページのＵＲＬと、事業者へのアクセス方法と、事業者の定休日と、事業者がフランチャイズ店であるか否かを示すフラグ（１＝ＹＥＳ、２＝ＮＯ）と、仲介業者への課金の自動引落を希望するか否かのフラグ（１＝ＹＥＳ、２＝ＮＯ）と、仲介業者からのインタビュを希望するか否かのフラグ（１＝ＹＥＳ、２＝ＮＯ）と、ログイン時の秘密質問コードと、ログイン時の秘密質問の答えと、事業者に対する総合評価と、事業者がプロかエキスパートかを示すデータと、事業者と仲介業者との契約の満了日（プロの場合は半年間又は1年間、エキスパートの場合は半年間又は１年間）と、仲介業者への課金の残高と、仲介業者への課金を支払済みか否かのフラグ（１＝ＹＥＳ、２＝ＮＯ）と、仲介業者への課金の支払状況（０＝済、１＝１ヶ月滞納、２＝２ヶ月滞納、３＝３ヶ月滞納）とを関連付けて格納する。なお、事業者は、常に営利活動として実行する「プロ」と、プロほどではないが随時営利活動として実行する「エキスパート」とに分類される。また、事業者に対する総合評価については、後述にて説明する。また、事業者の基本情報格納テーブルＴ４は、本発明に係る「事業者テーブル」の一部に該当する。また、事業者の基本情報格納テーブルＴ４は、事業者により予めデータベース４に登録されている。
【００４５】
図１６はデータベース４が格納する事業者請負可能カテゴリ格納テーブルＴ５の内容を示す図である。事業者請負可能カテゴリ格納テーブルＴ５は、図１６に示すように、事業者ＩＤと、事業者が請負可能な複数のカテゴリコード１〜ｎとを対応づけて格納する。なお、事業者請負可能カテゴリ格納テーブルＴ５は、本発明に係る「事業者テーブル」の一部に該当する。また、事業者請負可能カテゴリ格納テーブルＴ５は、事業者により予めデータベース４に登録されている。
【００４６】
図１７はデータベース４が格納する事業者の料金プラン格納テーブルＴ６の内容を示す図である。事業者の料金プラン格納テーブルＴ６は、図１７に示すように、事業者ＩＤと、タイトル番号１〜ｎと、事業者が提示する複数の料金プラン１〜ｎと、依頼形式と、料金プラン１〜ｎのイメージ画像と、料金プラン１〜ｎの詳細説明と、料金プラン１〜ｎの価格と、納期と、取引終了後の保証期間と、修理対象物の引受方法（１＝お客様による持ち込み、２＝事業者による訪問引受、３＝発送（お客様負担）、４＝発送（事業者負担）、５＝その他）と、修理対象物の納品方法（１＝お客様による来店引取、２＝事業者による配送、３＝発送（お客様負担）、４＝発送（事業者負担）、５＝その他）と、即注文ボタンか否かのフラグ（１＝ＹＥＳ、０＝ＮＯ）とを対応づけて格納する。なお、即注文ボタンか否かのフラグについては、後述にて説明する。また、依頼形式は、リペア（Ｒｅｐａｉｒ）、リフレッシュ（Ｒｅｆｒｅｓｈ）、リビルド（Ｒｅｂｕｉｌｄ）、リストア（Ｒｅｓｔｏｒｅ）、リメイク（Ｒｅｍａｋｅ）、リフォーム（Ｒｅｆｏｒｍ）及びリノベート（Ｒｅｎｏｖａｔｅ）の７つの「Ｒｅ」からなる。また、事業者の料金プラン格納テーブルＴ６は、本発明に係る「事業者テーブル」の一部に該当する。また、事業者の料金プラン格納テーブルＴ６は、事業者により予めデータベース４に登録されている。
【００４７】
図１８はデータベース４が格納する依頼者テーブルＴ７の内容を示す図である。依頼者テーブルＴ７は、図１８に示すように、ユーザＩＤと、依頼者の愛称と、依頼者の名前のフリガナと、依頼者の名前と、依頼者の生年月日と、依頼者の性別と、依頼者所在の郵便番号と、都道府県コードと、市区町村コードと、番地と、依頼者の電話番号と、ＦＡＸ番号と、ｅメールアドレスと、依頼者の職業コードと、お知らせメールを送信するか否かのフラグ（１＝ＹＥＳ、２＝ＮＯ）と、ログイン時の秘密質問コードと、ログイン時の秘密質問答えとを関連付けて格納する。なお、ユーザは、依頼者になるが事業者にはならない。即ち、本システムへの登録者は、最初の登録時に、「ユーザ」として登録するか、「事業者」として登録するかを選択する。そして、ユーザとして登録した場合には、最終的に「依頼者」となる。一方、事業者として登録した場合には、上述する「プロ」か、「エキスパート」かを選択する。また、事業者は、「依頼者」として他の事業者に修理を外注する場合もあり得る。依って、ユーザＩＤは、依頼者ＩＤと同じ値が付される。また、ユーザＩＤは、事業者ＩＤと同じ値が付される場合がある。また、お知らせメールを送信するか否かのフラグは、事業者が仲介業者からのお知らせメールを必要とするか否かを示すものである。また、依頼者テーブルＴ７は、依頼者により予めデータベース４に登録されている。
【００４８】
図１９はデータベース４が格納するパスワードテーブルＴ８の内容を示す図である。パスワードテーブルＴ８は、図１９に示すように、登録者ＩＤと、ＨＡＳＨしたＩＤと、登録者パスワードと、ロール属性と、登録日と、登録状態（０＝仮登録、１＝本登録、３＝抹消完了、４＝抹消開始日が第１期間内、５＝抹消開始日が第２期間内、６＝課金未払い、９＝ブラックリスト、１１＝基本料無料１ヶ月扱い、１２＝基本料無料３ヶ月扱い、１３＝基本料無料６ヶ月扱い、１４＝基本料無料９ヶ月扱い、１５＝基本料無料１２ヶ月扱い）と、最後のログイン日時（更新無しが２ヶ月続いた場合レコードを削除する）と、最後のアクセス元ＩＰアドレスと、最後のセッションＩＤと、ログイン情報の保存を指定したか否かのフラグ（１＝ＹＥＳ、０＝ＮＯ）と、合計ログイン回数と、最後のログインに失敗したアクセス元ＩＰアドレスと、最後にログインに失敗した回数と、最後にログインに失敗した日時とを関連付けて格納する。なお、登録者ＩＤは、ユーザＩＤか、依頼者ＩＤか、事業者ＩＤか、仲介業者ＩＤのいずれかを示すものである。また、ロール属性は、ユーザであるか、事業者であるか、仲介業者であるかのいずれかを示すものである。また、ログイン情報の保存を指定したか否かのフラグは、２回目以降のログイン時にパスワード入力が不要となるように保存しておくか否かを示すものである。また、パスワードテーブルＴ８は、登録者により予めデータベース４に登録されている。
【００４９】
図２０はデータベース４が格納する案件テーブルＴ９の内容を示す図である。案件テーブルＴ９は、図２０に示すように、案件ＩＤと、依頼者ＩＤと、依頼者名を表示するか否かのフラグ（１＝表示、０＝非表示）と、依頼者住所を表示するか否かのフラグ（１＝全て表示、０＝都道府県のみ表示）と、依頼者電話番号を表示するか否かのフラグ（１＝表示、０＝非表示）と、題名と、修理対象物のメーカ／ブランドと、名称／品番、型式／形式と、製造年月日と、修理対象となる場所／部分／部位と、修理対象物の色／カラーと、今の状態／現状と、複数の現状画像１〜ｎと、現状画像に対するコメント１〜ｎと、依頼形式と、依頼の詳細内容と、オープン案件であるか否かのフラグ（１＝ＹＥＳ、０＝ＮＯ）と、オープン案件で依頼するカテゴリコードと、オープン案件で地域指定する時のエリアコードと、送信日時と、最新メッセージの送信者名と、最新メッセージの送信日時と、注文決定した否かのフラグ（１＝ＹＥＳ、０＝ＮＯ、９＝取引完了）と、取引完了したか否かのフラグ（１＝ＹＥＳ、０＝ＮＯ）と、注文決定した日時と、注文後の進行状況（ステージ数）と、取引完了した日時とを関連付けて格納する。なお、案件ＩＤは、後述する見積依頼番号及び注文番号と同一の値が付される。また、案件テーブルＴ９は、本発明に係る「案件テーブル」に該当する。また、案件テーブルＴ９は、依頼者により入力された依頼内容に基づき、サーバ３により新規作成されてデータベース４に登録される。
【００５０】
図２１はデータベース４が格納する見積依頼を受けた事業者格納テーブルＴ１０の内容を示す図である。見積依頼を受けた事業者格納テーブルＴ１０は、図２１に示すように、見積依頼番号と、依頼を受けた事業者ＩＤと、最終見積の件名と、最終見積の合計金額と、最終見積の納期と、最終見積の保証期間と、最終見積の有効期限と、最終見積の送信日と、対話の最終送信者名と、対話の最終送信日時とを関連付けて格納する。なお、見積依頼を受けた事業者格納テーブルＴ１０は、本発明に係る「事業者テーブル」の一部に該当する。また、見積依頼を受けた事業者格納テーブルＴ１０は、事業者により入力された見積書などに基づき、サーバ３により新規作成されてデータベース４に登録される。
【００５１】
図２２はデータベース４が格納する見積書作成テーブルＴ１１の内容を示す図である。見積書作成テーブルＴ１１は、図２２に示すように、見積番号と、メッセージ番号と、案件ＩＤと、サブ題名と、事業者ＩＤと、事業者のコメントと、事業者が提示する見積合計金額と、完成納期と、取引終了後の保証期間と、修理対象物の引受方法（１＝お客様による持ち込み、２＝事業者による訪問引受、３＝発送（お客様負担）、４＝発送（事業者負担）、５＝その他）と、修理対象物の納品方法（１＝お客様による来店引取、２＝事業者による配送、３＝発送（お客様負担）、４＝発送（事業者負担）、５＝その他）と、見積の有効期限と、送信日時と、注文決定したか否かのフラグ（１＝ＹＥＳ、０＝ＮＯ、９＝取引完了）と、取引完了したか否かのフラグ（１＝ＹＥＳ、０＝ＮＯ）とを関連付けて格納する。なお、見積書作成テーブルＴ１１は、事業者により入力された見積書などに基づき、サーバ３により新規作成されてデータベース４に登録される。
【００５２】
図２３は見積書表示テーブルＴ１２の内容を示す図である。見積書表示テーブルＴ１２は、図２３に示すように、見積番号と、見積依頼番号と、見積合計金額の内訳となる個別的な修理内容の項目１〜ｎと、個別的な修理箇所の数量１〜ｎと、個別的な修理に要する金額１〜ｎと、備考と、自由形式の見積とを関連付けて格納する。なお、見積書表示テーブルＴ１２は、事業者により入力された見積書などに基づき、サーバ３により新規作成されてデータベース４に登録される。
【００５３】
図２４はデータベース４が格納する注文後の対話格納テーブルＴ１３の内容を示す図である。注文後の対話格納テーブルＴ１３は、図２４に示すように、メッセージ番号と、注文番号と、送信者が依頼者であるか否かのフラグ（１＝ＹＥＳ、０＝ＮＯ）、送信者名と、メッセージタイトルと、メッセージ本文と、メッセージの送信日時と、メッセージに添付する画像データと、メッセージに添付する動画データとを関連付けて格納する。なお、注文後の対話格納テーブルＴ１３は、依頼者と事業者との間でやりとりされるメッセージなどに基づき、サーバ３により新規作成されてデータベース４に登録される。
【００５４】
図２５はデータベース４が格納する取引完了分の保証期間内の対話格納テーブルＴ１４の内容を示す図である。取引完了分の保証期間内の対話格納テーブルＴ１４は、図２５に示すように、メッセージ番号と、注文番号と、送信者が依頼者であるか否かのフラグ（１＝ＹＥＳ、０＝ＮＯ）と、送信者名と、メッセージタイトルと、メッセージ本文と、メッセージの送信日時と、メッセージに添付する画像データと、メッセージに添付する動画データとを関連付けて格納する。なお、取引完了分の保証期間内の対話格納テーブルＴ１４は、依頼者と事業者との間でやりとりされるメッセージなどに基づき、サーバ３により新規作成されてデータベース４に登録される。
【００５５】
図２６はデータベース４が格納する事業者評価格納テーブルＴ１５の内容を示す図である。事業者評価格納テーブルＴ１５は、図２６に示すように、注文番号と、事業者ＩＤと、評価者ＩＤと、評価者愛称／事業者名と、平均評価と、納期評価と、価格評価と、応対評価と、サービス内容評価と、評価コメント、評価日時と、事業者が返信済みの評価であるか否かのフラグ（１＝ＹＥＳ、０＝ＮＯ）とを関連付けて格納する。なお、評価者は、対象となる事業者と過去に取引した依頼者に限られる。また、評価者ＩＤは、評価者が依頼者のみならず、一の事業者が他の事業者の依頼者になる場合があるので、ユーザＩＤ、依頼者ＩＤ又は事業者ＩＤのいずれかに該当する。また、評価者愛称は、例えば、評価者となる依頼者が氏名の公開を望まない場合に氏名に代えて公開されるものであり、依頼者テーブルＴ７の「愛称」フィールドに関連する。また、平均評価は、納期評価、価格評価、応対評価及びサービス内容評価の値を平均したものである。平均評価の詳細については、後述する。また、納期評価は、納期を遵守しているか否かについての評価である。また、応対評価は、事業者の依頼者に対する態度についての評価である。また、サービス内容評価は、修理対象物の仕上がりについての評価である。また、納期評価、価格評価、応対評価及びサービス内容評価には、満足度に応じた「０から＋５まで」と、不満度に応じた「−２から−１まで」との八段階の値が用いられる。また、事業者評価格納テーブルＴ１５は、本発明に係る「事業者テーブル」の一部に該当する。また、事業者評価格納テーブルＴ１５は、依頼者からの評価などに基づき、サーバ３により新規作成されてデータベース４に登録される。
【００５６】
図２７はデータベース４が格納する評価アイテム格納テーブルＴ１６の内容を示す図である。評価アイテム格納テーブルＴ１６は、図２７に示すように、評価点数と、評価に対する顔アイコンの表情データと、評価に対する星アイコンのデータとを関連付けて格納する。なお、評価アイテム格納テーブルＴ１６は、仲介業者により予めデータベース４に登録されている。
【００５７】
図２８はデータベース４が格納するお気に入り事業者格納テーブルＴ１７の内容を示す図である。お気に入り事業者格納テーブルＴ１７は、図２８に示すように、依頼者であるユーザＩＤと、お気に入りの事業者ＩＤと、更新後１０日以内の新着情報の有無と、新着情報の最終更新日とを対応付けて格納する。なお、ユーザ名は、一の事業者が他の事業者の依頼者となる場合があるので、依頼者ＩＤ又は事業者ＩＤと同じ値が付される。また、更新後１０日以内の新着情報とは、お気に入り登録された事業者が自らのウェブページなどを１０日以内に更新しているか否かを示すものである。また、新着情報の最終更新日とは、お気に入り登録された事業者が自らのウェブページなどを更新した最終日を示すものである。また、お気に入り事業者格納テーブルＴ１７は、本発明に係る「事業者テーブル」の一部に該当する。また、お気に入り事業者格納テーブルＴ１７は、依頼者からの要求に基づき、サーバ３により新規作成されてデータベース４に登録される。
【００５８】
（登録者のログインについて）
依頼者端末装置１（又は各事業者端末装置２）は、モニタ１０（又はモニタ２０）を介して、仲介業者が提供するウェブページのログイン画面（図示せず）の情報を出力する。ログイン画面は、登録者ＩＤ及びパスワードの入力フォームを備える。依頼者（又は各事業者）は、ログイン画面を介して、登録者ＩＤ及びパスワードを入力する。依頼者端末装置１（又は事業者端末装置２）は、受け付けた登録者ＩＤ及びパスワードをサーバ３に送信する。
【００５９】
サーバ３のＣＰＵ３００は、受信した登録者ＩＤ及びパスワードに基づき本人認証を行う。具体的には、ＣＰＵ３００は、パスワードテーブルＴ８にアクセスし、受信した登録者ＩＤ及びパスワードを抽出する。ＣＰＵ３００は、登録者ＩＤ等を抽出することができた場合、認証成功であると判断して検索用画面（図示せず）の情報を送信する。検索用画面は、抽出条件の入力フォームと、抽出結果の送信要求の入力ボタンと、オープン案件要求の入力ボタンとを備える。入力される抽出条件は、例えば、修理対象物のカテゴリや、事業者の所在地などが該当する。
【００６０】
（修理依頼仲介について）
図２９乃至３１はサーバ３が実行する修理依頼仲介処理の手順を示すフローチャートである。まずは、見積依頼までの手順を説明する。
【００６１】
依頼者端末装置１は、受信した検索用画面情報をモニタ１０を介して出力する。依頼者は、検索用画面を介して、抽出条件と、抽出結果の送信要求とを入力する。依頼者端末装置１は、受け付けた情報をサーバ３に送信する。
【００６２】
サーバ３のＣＰＵ３００は、送信要求及び抽出条件を受信し（Ｓ１０１）、受信した抽出条件に基づき該当事業者に関する情報を抽出する（Ｓ１０２）。具体的には、ＣＰＵ３００は、受信した送信要求に対応するカテゴリコード（又は都道府県・市区町村コード）を、カテゴリテーブルＴ１（又は都道府県テーブルＴ２及び住所テーブルＴ３）からそれぞれ抽出する。ＣＰＵ３００は、抽出した各コードを格納するレコードを事業者請負可能カテゴリ格納テーブルＴ５（又は事業者の基本情報格納テーブルＴ４）から複数抽出する。
【００６３】
また、サーバ３のＣＰＵ３００は、抽出した該当事業者に関する情報を依頼者端末装置１に送信する（Ｓ１０３）。該当事業者に関する情報は、上述する抽出結果に該当し、図４に示すとおり、事業内容を事業者毎に分類して一覧表示する領域５００と、見積依頼すべき事業者を選択するための入力欄５０１と、見積依頼の入力ボタン５０２と、各事業者を選択するための下線付きの事業者名５０３とを備える画面Ｐ１として表示される。
【００６４】
依頼者端末装置１は、受信した画面Ｐ１の情報をモニタ１０を介して出力する。依頼者は、画面Ｐ１を介して、出力された複数の事業者のいずれかを選択し、選択した事業者に対する、詳細情報を要求するか又は依頼内容の入力フォームを要求する。一覧表示からの選択及び詳細情報の要求は、下線付きの事業者名５０３がクリック操作されることにより入力される。依頼者端末装置１は、受け付けた要求をサーバ３に送信する。送信される要求には、選択された事業者ＩＤが含まれる。また、所望する事業者の入力欄５０１にチェックが入れられ、見積依頼の入力ボタン５０２が押下される場合には、見積依頼が実行される。依頼者端末装置１は、見積依頼が実行されることにより、サーバ３から依頼内容の入力フォーム画面Ｐ２を受信する。依頼者端末装置１は、受信した入力フォーム画面Ｐ２を介して入力された依頼内容を受け取り、受け取った依頼内容を、チェックした事業者の端末装置２にサーバ３を介して一斉送信する。その結果、依頼者は、一斉送信した複数の事業者から合見積りを取ることができる。
【００６５】
サーバ３のＣＰＵ３００は、情報を送信してから所定の時間内に、各事業者の詳細情報要求を受信したか否かを判定し（Ｓ１０４）、要求を受信していないと判定した場合（Ｓ１０４でＮＯ）、依頼内容の入力フォーム画面Ｐ２の情報を送信し、後述するステップＳ１０８に進む。依頼内容の入力フォーム画面Ｐ２は、図５に示すとおり、依頼内容の入力欄５０４と送信ボタン５０５とを備える。
【００６６】
一方、サーバ３のＣＰＵ３００は、要求を受信したと判定した場合（Ｓ１０４でＹＥＳ）、要求された各事業者の詳細情報を依頼者端末装置１に送信する（Ｓ１０５）。各事業者の詳細情報には、事業者の基本情報、過去の実績、料金プラン、新着トピックス、Ｑ＆Ａ一覧、クチコミ評価などが含まれ、図６に示すとおり、各タグが押下されることにより、画面切換がなされる。例えば、基本情報には、各事業者の事業内容、自己紹介及び所在地の地図などが含まれ、事業者の基本情報格納テーブルＴ４に基づき生成される。また、料金プランは、図６に示すとおり、質問の入力ボタン５０６と、お気に入り登録の入力ボタン５０８と、各事業者が提示する料金プランの表示領域５０９と、注文依頼の入力ボタン５１０とを備える画面Ｐ３として表示され、料金プラン格納テーブルＴ６などに基づき生成される。具体的には、ＣＰＵ３００は、要求に含まれる事業者ＩＤを格納するレコードを、事業者の基本情報格納テーブルＴ４及び料金プラン格納テーブルＴ６から抽出する。ＣＰＵ３００は、抽出したレコードから、事業者名、料金プランに関する情報を抽出して画面Ｐ３を含む各事業者の詳細情報を生成し、生成した画面Ｐ３を含む詳細情報を依頼者端末装置１に送信する。
【００６７】
なお、各事業者の詳細情報が含む画面Ｐ３は、本発明に係る「見積書」に該当する。また、ＣＰＵ３００は、抽出したレコードの値が「即注文ボタンか否か＝０」の場合（図１７参照）、注文依頼の入力ボタン５１０に代えて依頼内容の入力フォーム画面Ｐ２を要求する入力ボタンを生成する。
【００６８】
依頼者端末装置１は、受信した画面Ｐ３の情報をモニタ１０を介して出力する。依頼者は、画面Ｐ３を介して、出力された料金プランを確認し、画面Ｐ３上の入力ボタン５１０を押下することにより、希望する料金プランを提示する事業者に対して注文依頼を入力する。依頼者端末装置１は、受け付けた注文依頼をサーバ３に送信する。送信される注文依頼には、依頼された事業者のＩＤが含まれる。また、注文依頼は、本発明に係る「見積書に対する回答」に該当する。
【００６９】
サーバ３のＣＰＵ３００は、詳細情報を送信してから所定の時間内に、いずれかの事業者に対する注文依頼を受信したか否かを判定する（Ｓ１０６）。ＣＰＵ３００は、依頼を受信したと判定した場合（Ｓ１０６でＹＥＳ）、新規レコードを案件テーブルＴ９に作成する（Ｓ１０７）。具体的には、ＣＰＵ３００は、受信した注文依頼に対して案件ＩＤを付与し、この案件ＩＤで分類されるレコードを案件テーブルＴ９に新規作成し、後述するステップＳ１２１に進む。
【００７０】
一方、サーバ３のＣＰＵ３００は、依頼を受信していないと判定した場合（Ｓ１０６でＮＯ）、又は、「即注文ボタンか否か＝０」の場合（段落［００７１］参照）、依頼内容の入力フォーム画面Ｐ２の情報を送信し、ステップＳ１０８に進む。依頼内容の入力フォーム画面Ｐ２は、上述するとおりである。
【００７１】
依頼者端末装置１は、詳細情報を要求していない場合（Ｓ１０４でＮＯを参照）、又は、依頼を受信していないと判定した場合（Ｓ１０６でＮＯを参照）、サーバ３から依頼内容の入力フォーム画面Ｐ２の情報を受信し、モニタ１０を介して出力する。依頼者は、画面Ｐ２を介して、希望する依頼内容を入力する。依頼内容は、入力欄５０４に入力される。依頼者端末装置１は、受け付けた依頼内容と見積依頼とをサーバ３に送信する。送信される見積依頼には、依頼された事業者のＩＤが含まれる。送信は、送信ボタン５０５が押下されるにより実行される。なお、送信ボタン５０５が押下される場合の見積依頼は、上述する見積依頼の入力ボタン５０２が押下される場合とロジックが異なる。
【００７２】
サーバ３のＣＰＵ３００は、いずれかの事業者に対する依頼内容を受信し（Ｓ１０８）、受信した依頼内容を含む新規レコードを案件テーブルＴ９に作成する（Ｓ１０９）。具体的には、ＣＰＵ３００は、受信した依頼内容に対して案件ＩＤを付与し、この案件ＩＤで分類されるレコードを案件テーブルＴ９に新規作成する。ＣＰＵ３００は、受信した依頼内容をレコードに格納する。
【００７３】
併せて、サーバ３のＣＰＵ３００は、事業者に対する見積依頼を受信する（Ｓ１１０）。ＣＰＵ３００は、受信した見積依頼に対して見積依頼番号を付与し（Ｓ１１１）、この見積依頼番号を含む新規レコードを、見積依頼を受けた事業者格納テーブルＴ１０に作成する（Ｓ１１２）。具体的には、ＣＰＵ３００は、受信した見積依頼に対して見積依頼番号を付与し、この見積依頼番号で分類されるレコードを、見積依頼を受けた事業者格納テーブルＴ１０に新規作成する。ＣＰＵ３００は、受信した事業者ＩＤ及び見積に関する情報をレコードに格納する。
【００７４】
また、サーバ３のＣＰＵ３００は、見積依頼を受けた事業者の端末装置２に依頼を受けた旨の通知を行う（Ｓ１１３）。具体的には、ＣＰＵ３００は、受信した事業者ＩＤに関連付けられた事業者の連絡先（例えば、ｅメールアドレス）を事業者の基本情報格納テーブルＴ４から抽出し、抽出した連絡先が示す端末装置２に通知する。
【００７５】
次に見積依頼から注文依頼までの手順を説明する。見積依頼を受けた事業者（又は見積依頼をした依頼者）は、ログイン画面を介して「見積り分の」マイアカウント画面を要求する。
【００７６】
サーバ３のＣＰＵ３００は、本人認証を行い、認証成功と判断した場合、要求に応じて「見積り分の」マイアカウント画面情報を事業者端末装置２（又は依頼者端末装置１）に送信する。
【００７７】
事業者側に送信される「見積り分の」マイアカウント画面は、見積依頼された案件に関する情報を見積依頼番号毎に分類して一覧表示する。案件に関する情報には、メッセージに関する最新情報が含まれ、案件テーブルＴ９に基づく。
【００７８】
また、依頼者側に送信される「見積り分の」マイアカウント画面は、依頼した見積書に関する情報を見積依頼番号毎に分類して一覧表示する。見積書に関する情報には、見積合計金額や納期などが含まれ、見積依頼を受けた事業者格納テーブルＴ１０及び見積書作成テーブルＴ１１に基づき生成される。見積書に関する情報は、本発明に係る「見積書」に該当する。
【００７９】
事業者端末装置２（又は依頼者端末装置１）は、受信した「見積り分の」マイアカウント画面情報をモニタ２０（又はモニタ１０）を介して出力する。事業者（又は依頼者）は、「見積り分の」マイアカウント画面を介して、出力された案件（又は事業者）のいずれかを選択し、選択した案件に対する見積書（又は見積書に対するメッセージ）の入力フォームを要求する。事業者端末装置２（又は依頼者端末装置１）は、受け付けた要求をサーバ３に送信する。送信される要求には、選択された見積依頼の番号が含まれる。
【００８０】
サーバ３のＣＰＵ３００は、要求を受信した場合、依頼者と事業者との間で対話した履歴があるか否かを判定する（Ｓ１１４）。具体的には、ＣＰＵ３００は、受信した見積依頼番号に関連付けられた対話履歴を、見積依頼を受けた事業者格納テーブルＴ１０から抽出する。即ち、ＣＰＵ３００は、受信した注文番号を格納するレコードが存在するか否かを確認する。その結果、ＣＰＵ３００は、対話履歴が存在していないと判定した場合（Ｓ１１４でＮＯ）、ステップＳ１１６に進む。
【００８１】
一方、サーバ３のＣＰＵ３００は、対話履歴が存在すると判定した場合（Ｓ１１４でＹＥＳ）、事業者端末装置２（又は依頼者端末装置１）に、対話履歴を送信する（Ｓ１１５）。送信される対話履歴は、対話履歴を時系列に並べて一覧表示する画面（図示せず）の情報である。ＣＰＵ３００は、該当する全てのレコードを抽出し、抽出したレコードが格納する対話履歴を送信日時の新しい順に並べて画面情報を生成する。
【００８２】
事業者端末装置２（依頼者端末装置１）は、受信した画面情報をモニタ２０（又はモニタ１０）に出力する。事業者（又は依頼者）は、画面を介して、出力された対話履歴の最終更新に対する見積書（又はメッセージ）の入力フォームを要求する。事業者端末装置２（又は依頼者端末装置１）は、受け付けた要求をサーバ３に送信する。
【００８３】
サーバ３のＣＰＵ３００は、ステップＳ１１４で対話履歴が存在していないと判定した場合（Ｓ１１４でＮＯを参照）、又は、入力フォームの要求を受信した場合、事業者端末装置２（又は依頼者端末装置１）に見積書（又はメッセージ）の入力フォーム画面情報を送信する（Ｓ１１６）。見積書の入力フォーム画面Ｐ４は、図７に示すとおり、依頼者からのメッセージの表示領域５１１と、見積書履歴を要求する入力ボタン５１２と、見積書の入力欄５１３と、送信ボタン５１４とを備える。見積書の入力欄５１３は、見積合計金額、完成納期、保証期間、引受方法、納品方法及び見積有効期限などの入力欄を備える。
【００８４】
事業者端末装置２（又は依頼者端末装置１）は、受信した画面情報をモニタ２０（モニタ１０）に出力する。事業者（又は依頼者）は、画面を介して、見積書（又はメッセージ）を入力する。事業者端末装置２（又は依頼者端末装置１）は、受け付けた見積書（又はメッセージ）をサーバ３に送信する。
【００８５】
サーバ３のＣＰＵ３００は、見積書（又はメッセージ）を受信する。ＣＰＵ３００は、見積書（又はメッセージ）の受信が初回であるか否かを判定する。具体的には、ＣＰＵ３００は、見積書作成テーブルＴ１１及び見積書表示テーブルＴ１２にアクセスし、受信した見積依頼番号又はこれと同一の案件ＩＤを格納するレコードが存在するか否かを確認し、その存在を確認した場合には、受信が二回目以降と判断する。一方、ＣＰＵ３００は、その存在を確認し得ない場合には、受信が初回であると判定する。その結果、ＣＰＵ３００は、受信が初回であると判定した場合、受信した見積書（又はメッセージ）に対して見積番号（又はメッセージ番号）を付与し、この番号と見積依頼番号又は案件ＩＤとで分類されるレコードを見積書作成テーブルＴ１１及び見積書表示テーブルＴ１２に新規作成する。
【００８６】
また、サーバ３のＣＰＵ３００は、受信が初回ではなく二回目以降であると判定した場合、受信した見積書（又はメッセージ）に基づき新規レコードを見積書作成テーブルＴ１１及び見積書表示テーブルＴ１２に作成する（Ｓ１１７）。具体的には、ＣＰＵ３００は、受信が初回ではないと判定した場合、受信した見積書（又はメッセージ）に対して見積番号（又はメッセージ番号）を付与し、この番号と見積依頼番号又は案件ＩＤとで分類される新規レコードを見積書作成テーブルＴ１１及び見積書表示テーブルＴ１２に追加作成する。
【００８７】
サーバ３のＣＰＵ３００は、受信した見積書（又はメッセージ）を依頼者端末装置１（又は事業者端末装置２）に送信する（Ｓ１１８）。具体的には、ＣＰＵ３００は、追加作成後の見積依頼を受けた事業者格納テーブルＴ１１及び見積書作成テーブルＴ１２に基づき「見積り分の」マイアカウント画面情報を生成し、生成した「見積り分の」マイアカウント画面情報を依頼者端末装置１（又は事業者端末装置２）に送信する。
【００８８】
依頼者側に送信される「見積り分の」マイアカウント画面は、見積書に関する情報の画面Ｐ５であって、図８に示すように、見積書に関する情報を事業者毎に分類して一覧表示する領域５１５と、依頼内容の表示領域５１６とを備える。一覧表示の領域５１５は、合計金額、納期、保証期間、見積有効期限及び送信日時などの情報が事業者毎に分類して表示され、削除すべき各事業者を選択するための入力欄５１７と、選択した各事業者の削除を要求する削除ボタン５０７と、詳細情報を選択要求するための下線付きの事業者名５１８とを備える。また、依頼内容の表示領域５１６には、現状を示す画像データが表示可能である。これらの情報は、追加作成後の見積書作成テーブルＴ１１に基づく。見積書に関する情報の画面Ｐ５は、本発明に係る「見積書」に該当する。
【００８９】
また、事業者側に送信される「見積り分の」マイアカウント画面は、メッセージに関する情報を見積依頼番号毎に分類して一覧表示する。このメッセージに関する情報は、本発明に係る「見積書に対する回答」に該当する。
【００９０】
依頼者端末装置１（又は事業者端末装置２）は、受信した「見積り分の」マイアカウント画面情報をモニタ１０（又はモニタ２０）に出力する。依頼者は、「見積り分の」マイアカウント画面を介して、出力された見積書に関する情報を確認し、いずれかの見積書を選択して詳細情報を要求する。一覧表示からの選択及び要求は、下線付きの事業者名５１８がクリック操作されることにより入力される。送信される要求には、選択された見積書の番号（見積番号）が含まれる。また、一覧表示からの選択削除は、入力欄５１７にチェックが入れられ、削除ボタン５０７が押下されることにより行われる。また、事業者は、「見積り分の」マイアカウント画面を介して、出力されたメッセージに関する情報を確認し、見積書の再依頼に備える。
【００９１】
サーバ３のＣＰＵ３００は、詳細情報の要求を受信した場合、受信した見積番号に関連付けられた情報を見積書表示テーブルＴ１２から抽出し、抽出した情報に基づき見積書に関する詳細情報画面Ｐ６を生成する。見積書に関する詳細情報は、図９に示すように、詳細情報の表示領域５１９と、注文依頼の入力ボタン５２０と、事業者へのメッセージの入力フォーム５２１と、送信ボタン５２２と、見積書履歴を要求する入力ボタン５２３とを備える画面Ｐ６として表示される。詳細情報の表示領域５１９は、合計金額の内訳と、合計金額、納期、見積有効期限、保証期間、引受方法及び納品方法などの表示領域を有する。合計金額の内訳は、合計金額の内訳となる個別的な修理内容の項目と、個別的な修理箇所の数量と、個別的な修理に要する金額とを含む。なお、見積書に関する詳細情報の画面Ｐ６は、本発明に係る「見積書」に該当する。
【００９２】
依頼者端末装置１は、受信した見積書に関する詳細情報をモニタ１０に出力する。依頼者は、画面Ｐ６を介して、出力された見積書に関する詳細情報を確認し、注文依頼の入力ボタン５２０を押下するか、又は、事業者に対するメッセージを送信して見積書の再依頼を行うかを決定する。依頼者端末装置１は、注文依頼を受け付けた場合、受け付けた注文依頼をサーバ３に送信する。送信される注文依頼には、見積番号が含まれる。注文依頼は、本発明に係る「見積書に対する回答」に該当する。
【００９３】
サーバ３のＣＰＵ３００は、詳細情報を送信してから所定の時間内に、見積書に対する注文依頼を受信したか否かを判定し（Ｓ１１９）、注文依頼を受信していない場合（Ｓ１１９でＮＯ）、見積書の再依頼があったものと判断し、ステップＳ１１４に戻り、処理を繰り返す。見積書の再依頼は、本発明に係る「見積書に対する回答」に該当する。
【００９４】
一方、サーバ３のＣＰＵ３００は、注文依頼を受信したと判定した場合（Ｓ１１９でＹＥＳ）、レコードに注文決定フラグを立てる（Ｓ１２０）。具体的には、ＣＰＵ３００は、受信した見積番号を格納するレコードを見積書作成テーブルＴ１１から抽出するとともに、この見積番号に関連付けられた案件ＩＤを格納するレコードを案件テーブルＴ９から抽出する。ＣＰＵ３００は、抽出したレコードの値を「注文決定フラグ＝１」に更新する。この処理において、ＣＰＵ３００は、本発明に係る「注文を受けた見積書を案件レコードに関連付け」る手段となる。
【００９５】
また、サーバ３のＣＰＵ３００は、受信した注文決定に対して注文番号を付与し（Ｓ１２１）、この注文番号を含む新規レコードを注文後の対話格納テーブルＴ１３に作成する（Ｓ１２２）。具体的には、ＣＰＵ３００は、受信した注文依頼に対して注文番号を付与し、この注文番号で分類されるレコードを注文後の対話格納テーブルＴ１３に新規作成する。
【００９６】
また、サーバ３のＣＰＵ３００は、注文依頼を受けた事業者の端末装置２に、依頼を受けた旨の通知を行う（Ｓ１２３）。具体的には、ＣＰＵ３００は、受信した見積番号に関連付けられた事業者の連絡先を見積書作成テーブルＴ１１及び事業者の基本情報格納テーブルＴ４から抽出し、抽出した連絡先が示す端末装置に通知する。
【００９７】
次に注文依頼から取引完了までの手順を説明する。注文依頼を受けた事業者（又は注文依頼をした依頼者）は、ログイン画面を介して「注文分の」マイアカウント画面を要求する。
【００９８】
サーバ３のＣＰＵ３００は、本人認証を行い、認証成功と判断した場合、要求に応じて「注文分の」マイアカウント画面情報を事業者端末装置２（又は依頼者端末装置１）に送信する。
【００９９】
事業者側に送信される「注文分の」マイアカウント画面は、注文依頼された案件に関する情報を注文番号毎に分類して一覧表示する。案件に関する情報には、依頼者との取引の進行状況が含まれ、案件テーブルＴ９及び注文後の対話格納テーブルＴ１３に基づく。
【０１００】
また、依頼者側に送信される「注文分の」マイアカウント画面は、注文依頼した案件に関する情報を注文番号毎に分類して一覧表示する。案件に関する情報は、事業者との取引の進行状況が含まれ、案件テーブルＴ９及び注文後の対話格納テーブルＴ１３に基づく。
【０１０１】
事業者端末装置２（又は依頼者端末装置１）は、受信した「注文分の」マイアカウント画面情報をモニタ２０（又はモニタ１０）を介して出力する。事業者（又は依頼者）は、「注文分の」マイアカウント画面を介して、出力された案件のいずれかを選択し、選択した案件に対する進行ナビ画面Ｐ７を要求する。事業者端末装置２（又は依頼者端末装置１）は、受け付けた要求をサーバ３に送信する。送信される要求には、選択された注文の番号が含まれる。
【０１０２】
サーバ３のＣＰＵ３００は、要求を受信した場合、依頼者と事業者との間で対話した履歴があるか否かを判定する（Ｓ１２４）。具体的には、ＣＰＵ３００は、受信した注文番号に関連付けられた対話履歴を、案件テーブルＴ９及び注文後の対話格納テーブルＴ１３から抽出する。即ち、ＣＰＵ３００は、受信した注文番号又はこれと同一の案件ＩＤを格納するレコードが存在するか否かを確認する。その結果、ＣＰＵ３００は、対話履歴が存在していないと判定した場合（Ｓ１２４でＮＯ）、ステップＳ１２６に進む。
【０１０３】
一方、サーバ３のＣＰＵ３００は、対話履歴が存在すると判定した場合（Ｓ１２４でＹＥＳ）、事業者端末装置２（又は依頼者端末装置１）に、対話履歴を送信する（Ｓ１２５）。送信される対話履歴は、対話履歴を時系列に並べて一覧表示する画面（図示せず）の情報である。ＣＰＵ３００は、該当するレコードを全て抽出し、抽出したレコードが格納する
対話履歴を送信日時の新しい順に並べて画面情報を生成する。
【０１０４】
事業者端末装置２（又は依頼者端末装置１）は、受信した画面情報をモニタ２０（又はモニタ１０）に出力する。事業者（又は依頼者）は、画面を介して、出力された対話履歴の最終更新に対する進行ナビ画面Ｐ７を要求する。事業者端末装置２（又は依頼者端末装置１）は、受け付けた要求をサーバ３に送信する。
【０１０５】
サーバ３のＣＰＵ３００は、ステップＳ１２４で対話履歴が存在していないと判定した場合（Ｓ１２４でＮＯを参照）、又は、進行ナビ画面Ｐ７の要求を受信した場合、事業者端末装置２（又は依頼者端末装置１）に進行ナビ画面Ｐ７の情報を送信する（Ｓ１２６）。進行ナビ画面Ｐ７は、図１０に示すとおり、取引の進行状況を示す表示領域５２４と、この進行状況の工程を進める遷移要求の入力ボタン５２５と、相手方へのメッセージの入力フォーム５２６と、入力したメッセージの送信ボタン５２７と、相手方からのメッセージ履歴の表示領域５２８と、相手からのメッセージの個別表示領域５２９とを備えるものであり、案件テーブルＴ９及び注文後の対話格納テーブルＴ１３の値に基づく。取引の進行状況は、後述するステップＳ１２７にて案件テーブルＴ９が更新される都度、次工程を示す値が表示される。なお、相手方へのメッセージの入力フォーム５２６には、画像データや動画データが添付可能である。また、相手からのメッセージの個別表示領域５２９には、添付された画像データや動画データが表示可能である。また、進行ナビ画面Ｐ７は、本発明に係る「進行ナビの画面情報」に該当する。
【０１０６】
事業者端末装置２（又は依頼者端末装置１）は、受信した進行ナビ画面Ｐ７の情報をモニタ２０（又はモニタ１０）に出力する。事業者（又は依頼者）は、進行ナビ画面Ｐ７を介して、出力された取引の進行状況及びメッセージを確認する。事業者（又は依頼者）は、現在状況を把握した上で、進行ナビ画面Ｐ７を介して、相手方へのメッセージを入力し、遷移要求の入力ボタン５２５を押下する。事業者端末装置２（又は依頼者端末装置１）は、受け付けたメッセージ及び遷移要求をサーバ３に送信する。遷移要求には、注文番号が含まれる。
【０１０７】
サーバ３のＣＰＵ３００は、事業者端末装置２（又は依頼者端末装置１）からメッセージ及び遷移要求を受信し、受信した遷移要求に応じてレコードの値を更新する（Ｓ１２７）。具体的には、ＣＰＵ３００は、受信した注文番号と同一の案件ＩＤを格納するレコードを案件テーブルＴ９から抽出する。ＣＰＵ３００は、受信した遷移要求に応じて、抽出したレコードの「注文後の進行状況」フィールドの値を次工程を示す値に更新する。更新は、例えば、「ステージ１依頼品の引き受け」「ステージ２作業開始〜作業中（事業者）」「ステージ３作業完了（事業者）」「ステージ４発送・配送完了（事業者）」「ステージ５完成品の受け取り（依頼者）」及び「取引完了」と遷移する。この処理において、ＣＰＵ３００は、本発明に係る「更新手段」に該当する。また、取引完了を示す値は、本発明に係る「最終工程」に該当する。また、ＣＰＵ３００は、受信した注文番号で分類される新規レコードを、注文後の対話格納テーブルＴ１３に追加作成する。即ち、注文後の対話格納テーブルＴ１３には、同一の注文番号を格納するレコードが複数存在する。
【０１０８】
サーバ３のＣＰＵ３００は、更新後の「注文後の進行状況」フィールドの値が取引完了を示す値であるか否かを判定する（Ｓ１２８）。その結果、ＣＰＵ３００は、取引完了を示す値ではないと判定した場合（Ｓ１２８でＮＯ）、相手方である依頼者の端末装置１（又は事業者の端末装置２）に、次工程に進んだ旨の通知を行う（Ｓ１２９）。ＣＰＵ３００は、ステップＳ１２４に戻り、ステップＳ１２４以降の処理を繰り返し、要求に応じて、ステップＳ１２７にて更新した取引の進行状況を表示する進行ナビ画面Ｐ７を事業者端末装置２（又は依頼者端末装置１）に送信する。この処理において、ＣＰＵ３００は、本発明に係る「更新後の進行状況を表示する進行ナビの画面情報を再送する手段」に該当する。
【０１０９】
一方、サーバ３のＣＰＵ３００は、取引完了を示す値であると判定した場合（Ｓ１２８でＹＥＳ）、レコードに取引完了フラグを立てる（Ｓ１３０）。具体的には、ＣＰＵ３００は、受信した注文番号と同一の案件ＩＤを格納するレコードを案件テーブルＴ９及び見積書作成テーブルＴ１１から抽出する。ＣＰＵ３００は、抽出したレコードの値を「取引完了フラグ＝１」に更新する。なお、取引完了への遷移を要求するのは、依頼者である。ＣＰＵ３００は、事業者端末装置２に取引完了した旨を通知し（Ｓ１３１）、処理を終了する。
【０１１０】
（取引完了分の保証について）
図３２はサーバ３が実行する取引完了分の保証処理の手順を示すフローチャートである。依頼者は、例えば、修理が再度必要となる場合、以前に依頼した事業者に保証を要求することができる。依頼者（又は事業者）は、ログイン画面を介して「取引完了分の」マイアカウント画面を要求する。
【０１１１】
サーバ３のＣＰＵ３００は、本人認証を行い、認証成功と判断した場合、要求に応じて「取引完了分の」マイアカウント画面情報を依頼者端末装置１（又は事業者端末装置２）に送信する。送信される「取引完了分の」マイアカウント画面は、取引完了分の案件に関する情報を注文番号毎に分類して一覧表示する。取引完了分の案件に関する情報は、メッセージに関する最新情報が含まれ、案件テーブルＴ９及び取引完了分の保証期間内の対話格納テーブルＴ１４に基づく。
【０１１２】
依頼者（又は事業者）は、「取引完了分の」マイアカウント画面を介して、出力された案件のいずれかを選択し、選択した案件に対するメッセージの入力フォームを要求する。依頼者端末装置１（又は事業者端末装置２）は、受け付けた要求をサーバ３に送信する。送信される要求には、注文番号が含まれる。
【０１１３】
サーバ３のＣＰＵ３００は、要求を受信し（Ｓ２０１）、要求された案件が保証期間内であるか否かを判定する（Ｓ２０２）。具体的には、ＣＰＵ３００は、受信した注文番号と同一の案件ＩＤを格納するレコードを見積書作成テーブルＴ１１から抽出する。抽出されたレコードには、「取引完了フラグ＝１」が格納されている。ＣＰＵ３００は、抽出されたレコードの「保証期間」フィールドの値に基づき案件が保証期間内であるか否かを判定する。その結果、ＣＰＵ３００は、保証期間内ではないと判定した場合（Ｓ２０２でＮＯ）、取引の詳細情報を送信し（Ｓ２０３）、処理を終了する。詳細情報には、保証期間が経過している旨の通知が含まれる。
【０１１４】
一方、サーバ３のＣＰＵ３００は、保証期間内の案件であると判定した場合（Ｓ２０２でＹＥＳ）、依頼者と事業者との間で対話した履歴があるか否かを判定する（Ｓ２０４）。具体的には、ＣＰＵ３００は、受信した注文番号に関連付けられた対話履歴を、案件テーブルＴ９及び取引完了分の保証期間内の対話格納テーブルＴ１４から抽出する。即ち、ＣＰＵ３００は、受信した注文番号又はこれと同一の案件ＩＤを格納するレコードが存在するか否かを確認する。その結果、ＣＰＵ３００は、対話履歴が存在していないと判定した場合（Ｓ２０４でＮＯ）、新規レコードを取引完了分の保証期間内の対話格納テーブルＴ１４を作成し（Ｓ２０５）、ステップＳ２０７に進む。
【０１１５】
一方、サーバ３のＣＰＵ３００は、対話履歴が存在すると判定した場合（Ｓ２０４でＹＥＳ）、依頼者端末装置１（又は事業者端末装置２）に、対話履歴を送信する（Ｓ２０６）。送信される対話履歴は、対話履歴を時系列に並べて一覧表示する画面（図示せず）の情報である。ＣＰＵ３００は、該当するレコードを全て抽出し、抽出したレコードが格納する対話履歴を送信日時の新しい順に並べて画面情報を生成する。
【０１１６】
依頼者端末装置１（事業者端末装置２）は、受信した画面情報をモニタ１０（又はモニタ２０）に出力する。依頼者（又は事業者）は、画面を介して、出力された対話履歴の最新更新に対するメッセージの入力フォームを要求する。依頼者端末装置１（又は事業者端末装置２）は、受け付けた要求をサーバ３に送信する。
【０１１７】
サーバ３のＣＰＵ３００は、ステップＳ２０４で対話履歴が存在していないと判定した場合（Ｓ２０４でＮＯを参照）、又は、入力フォームの要求を受信した場合、依頼者端末装置１（又は事業者端末装置２）にメッセージの入力フォーム画面情報を送信する（Ｓ２０７）。入力フォーム画面は、相手方へのメッセージ入力フォームと、入力したメッセージの送信ボタンと、相手方からのメッセージの表示領域とを備えるものであり、取引完了分の保証期間内の対話格納テーブルＴ１４の値に基づく。なお、相手方へのメッセージ入力フォームには、画面データや動画データが添付可能である。また、相手方からのメッセージの表示領域には、添付された画像データや動画データが表示可能である。
【０１１８】
依頼者端末装置１（又は事業者端末装置２）は、受信した画面情報をモニタ１０（又はモニタ２０）に出力する。依頼者（又は事業者）は、画面を介して、相手方からのメッセージを確認し、相手方へのメッセージを入力する。依頼者端末装置１（又は事業者端末装置２）は、受け付けたメッセージをサーバ３に送信する。なお、依頼者端末装置１から送信されるメッセージは、本発明に係る「伝言」に該当する。また、事業者端末装置２から送信されるメッセージは、本発明に係る「回答」に該当する。
【０１１９】
サーバ３のＣＰＵ３００は、メッセージを受信する。ＣＰＵ３００は、メッセージの受信が初回であるか否かを判定する。具体的には、ＣＰＵ３００は、取引完了分の保証期間内の対話格納テーブルＴ１４にアクセスし、受信した注文番号を格納するレコードが存在するか否かを確認し、その存在を確認した場合には、受信が二回目以降と判断する。一方、ＣＰＵ３００は、その存在を確認し得ない場合には、受信が初回であると判定する。その結果、ＣＰＵ３００は、受信が初回であると判定した場合、受信したメッセージに対してメッセージ番号を付与し、このメッセージ番号と注文番号とで分類されるレコードを取引完了分の保証期間内の対話格納テーブルＴ１４に新規作成する。
【０１２０】
また、サーバ３のＣＰＵ３００は、受信が初回ではなく二回目以降であると判定した場合、受信したメッセージに基づき新規レコードを取引完了分の保証期間内の対話履歴テーブルＴ１４に作成する（Ｓ２０８）。具体的には、ＣＰＵ３００は、受信が初回ではないと判定した場合、受信したメッセージに対して新たにメッセージ番号を付与し、このメッセージ番号と注文番号とで分類される新規レコードを取引完了分の保証期間内の対話格納テーブルＴ１４に追加作成する。
【０１２１】
サーバ３のＣＰＵ３００は、相手方となる事業者の端末装置２（又は依頼者の端末装置１）に、メッセージを受信した旨の通知を行い（Ｓ２０９）、処理を終了する。
【０１２２】
（お気に入り登録について）
依頼者は、注目する事業者に対してお気に入り登録することができる。依頼者、上述する各事業者の詳細情報が含む画面Ｐ３を要求する。依頼者端末装置１は、受け付けた要求をサーバ３に送信し、サーバ３から画面Ｐ３の情報を受信する。
【０１２３】
依頼者端末装置１は、受信した画面Ｐ３をモニタ１０を介して出力する。依頼者は、画面Ｐ３を介して、お気に入り登録の入力ボタン５０８を押下することにより、当該事業者のお気に入り登録を要求する。送信された要求には、選択した事業者のＩＤが含まれる。
【０１２４】
サーバ３のＣＰＵ３００は、受信した要求に応じて、受信した事業者ＩＤを格納する新規レコードをお気に入り事業者格納テーブルＴ１７に追加作成する。ＣＰＵ３００は、事業者がお気に入り登録される都度、１ポイントを総合評価に加算する。ＣＰＵ３００は、算出した総合評価を、該当する事業者の基本情報格納テーブルＴ４に格納する。一方、ＣＰＵ３００は、お気に入り登録が解除された場合には、該当する事業者の総合評価から１ポイントを減算する。
【０１２５】
（クチコミ評価について）
図３３はサーバ３が実行するクチコミ評価処理の手順を示すフローチャートである。依頼者は、過去に取引をした事業者に対してクチコミ評価をすることができる。依頼者は、評価入力フォーム画面情報を要求する。依頼者端末装置１は、受け付けた要求をサーバ３に送信する。送信された要求には、事業者のＩＤが含まれる。
【０１２６】
サーバ３のＣＰＵ３００は、評価入力フォーム画面の要求を受信し（Ｓ３０１）、受信した要求に応じて、評価入力フォーム画面の情報を送信する（Ｓ３０２）。評価入力フォーム画面は、納期評価、価格評価、応対評価、サービス内容評価及び評価コメントなどの各評価を入力する欄を備える。
【０１２７】
依頼者端末装置１は、受信した画面情報をモニタ１０に出力する。依頼者は、画面を介して、各評価を入力する。依頼者端末装置１は、受け付けた各評価をサーバ３に送信する。
【０１２８】
サーバ３のＣＰＵ３００は、入力フォーム画面情報を送信してから所定の時間内に各評価を受信したか否かを判定する（Ｓ３０３）。ＣＰＵ３００は、各評価を受信していないと判定した場合（Ｓ３０３でＮＯ）、依頼者端末装置１との通信を切断して処理を終了する。
【０１２９】
一方、サーバ３のＣＰＵ３００は、各評価を受信したと判定した場合（Ｓ３０３でＹＥＳ）、受信した事業者ＩＤで分類されるレコードを事業者評価格納テーブルＴ１５に新規作成し、受信した各評価をレコードに格納する。ＣＰＵ３００は、格納した各評価に基づき平均評価を算出し（Ｓ３０４）、算出した平均評価をレコードに格納する（Ｓ３０５）。ＣＰＵ３００は、クチコミ評価されて平均評価を算出する都度、算出した平均評価を、事業者の基本情報格納テーブルＴ４に格納してある事業者の総合評価に加算する。即ち、平均評価は、一つの取引における値であり、総合評価は、複数の平均評価と複数のお気に入り登録数とを加算したものである。ＣＰＵ３００は、総合評価の算出をバックグランドで処理する。ＣＰＵ３００は、ステップＳ３０２に戻り、処理を繰り返す。
【０１３０】
依頼者は、「お気に入り」のマイアカウント画面を介して、各事業者の詳細情報が含むクチコミ評価情報を要求する。クチコミ評価情報は、図１１に示すように、総合評価の結果を、過去に取引した依頼者毎に分類して一覧表示する画面Ｐ８として表示される。総合評価の結果は、評価コメントによる表示５３０の他、顔表情アイコン５３１及び星アイコン５３２により示される。依頼者端末装置１は、受信した要求をサーバ３に送信する。送信される要求には、事業者のＩＤが含まれる。
【０１３１】
サーバ３のＣＰＵ３００は、要求を受信した場合、事業者評価格納テーブルＴ１５に基づき、クチコミ評価情報画面Ｐ８を生成し、生成した画面Ｐ８の情報を依頼者端末装置１に送信する。具体的には、ＣＰＵ３００は、事業者評価格納テーブルＴ１５にアクセスし、該当する事業者の平均評価を抽出する。ＣＰＵ３００は、評価アイテム格納テーブルＴ１６にアクセスし、抽出した平均評価に対応する顔表現アイコン５３１及び星アイコン５３２を抽出する。ＣＰＵ３００は、抽出したアイコンに基づき、クチコミ評価情報画面Ｐ８を生成する。
【０１３２】
（該当事業者に関する情報について）
図３４はサーバ３が事項する該当事業者順位決定処理の手順を示すフローチャートである。仲介業者は、上述する修理依頼仲介処理のステップＳ１０３にて提供する該当事業者に関する情報について、上述する総合評価に基づく順位に並べ替えて、各事業者を一覧表示させることができる。
【０１３３】
サーバ３のＣＰＵ３００は、ステップＳ１０１にて受信した抽出条件に基づき該当事業者に関する情報を抽出する（Ｓ４０１）。ステップＳ４０１は、上述するステップＳ１０２に相当する。ＣＰＵ３００は、事業者の基本情報格納テーブルＴ４にアクセスし、該当事業者のＩＤに関連付けられた総合評価を抽出する。ＣＰＵ３００は、抽出した総合評価に基づき該当事業者の順位を算出する（Ｓ４０２）。
【０１３４】
サーバ３のＣＰＵ３００は、算出した順位に基づき該当事業者に関する情報の一覧を生成する（Ｓ４０３）。具体的には、ＣＰＵ３００は、順位が高い事業者がより上に表示されるように一覧を生成する。ＣＰＵ３００は、生成した一覧を含む該当事業者に関する情報を依頼者端末装置１に送信する（Ｓ４０４）。ステップＳ４０４は、上述するステップＳ１０３に相当する。
【０１３５】
（オープン案件について）
図３５はサーバ３が実行する修理依頼仲介処理（オープン案件）の手順を示すフローチャートである。仲介業者は、上述する修理依頼仲介処理のステップＳ１０１乃至１１０の間において、事業者が、依頼者からの見積依頼を受けてから見積書を作成して提示するのではなく、自らが積極的に依頼内容にアクセスし、自らが作成した見積書を依頼者に提示する「オープン案件」を適用することができる。
【０１３６】
依頼者は、検索用画面を介して、オープン案件の要求を入力する。依頼者端末装置１は、受け付けた情報をサーバ３に送信する。
【０１３７】
サーバ３のＣＰＵ３００は、オープン案件の要求を受信し（Ｓ５０１）、依頼内容の入力フォーム画面Ｐ２の情報を依頼者端末装置１に送信する。
【０１３８】
依頼者端末装置１は、受信した入力フォーム画面Ｐ２の情報をモニタ１０を介して出力する。依頼者は、画面Ｐ２を介して、希望する依頼内容を入力する。依頼者端末装置１は、受け付けた依頼内容をサーバ３に送信する。受信される依頼内容には、修理対象物のカテゴリや、事業者の所在地などの抽出条件が含まれる。
【０１３９】
サーバ３のＣＰＵ３００は、依頼者端末装置１から依頼内容を受信し（Ｓ５０２）、受信した依頼内容を含む新規レコードを案件テーブルＴ９に作成する（Ｓ５０３）。具体的には、ＣＰＵ３００は、受信した依頼内容に対して案件ＩＤを付与し、この案件ＩＤで分類されるレコードを案件テーブルＴ９に新規作成する。ＣＰＵ３００は、受信した依頼内容をレコードに格納する。
【０１４０】
また、サーバ３のＣＰＵ３００は、該当する事業者の端末装置２に依頼者から依頼があった旨の通知を行う（Ｓ５０４）。具体的には、ＣＰＵ３００は、事業者の基本情報格納テーブルＴ４及び事業者請負可能テーブルＴ５にアクセスし、依頼内容に含まれるカテゴリや所在地などの抽出条件を満たす該当事業者のＩＤを抽出する。ＣＰＵ３００は、抽出した事業者ＩＤに関連付けられた連絡先を、事業者の基本情報格納テーブルＴ４から抽出し、抽出した連絡先が示す端末装置に通知する。
【０１４１】
依頼者端末装置２は、受信した通知をモニタ２０を介して出力する。事業者は、出力された通知を確認し、ログイン画面を介して本人認証と、依頼内容を含む「見積もり分」のマイアカウント画面の要求を受け付ける。
【０１４２】
サーバ３のＣＰＵ３００は、本人認証を行い、認証成功と判断した場合、要求に応じて「見積もり分」のマイアカウント画面情報を事業者端末装置２に送信する。なお、ＣＰＵ３００は、認証成功と判断した場合であっても、要求を入力した事業者が抽出条件を満たしていないと判定した場合には、「見積もり分」のマイアカウント画面情報を送信するのではなく、抽出条件を満たしていない旨の通知を行う。
【０１４３】
事業者側に送信される「見積もり分」のマイアカウント画面は、依頼内容を含む案件に関する情報を案件毎に分類して一覧表示する。案件に関する情報は、案件テーブルＴ９に基づく。
【０１４４】
事業者端末装置２は、受信した「見積もり分」のマイアカウント画面情報をモニタ２０を介して出力する。事業者は、「見積もり分」のマイアカウント画面を介して、出力された案件のいずれかを選択し、選択した案件に対する見積書の入力フォームを要求する。選択は、事業者が自由意思に基づいて実行される、自由参加方式である。事業者は、自らが請負可能であると判断する案件を選択することができる。事業者端末装置２は、受け付けた要求をサーバ３に送信する。
【０１４５】
サーバ３のＣＰＵ３００は、要求を受信した場合、上述するステップＳ１１４の処理を実行する。なお、ステップＳ１１４以降の処理については、上述する見積依頼から取引完了までの処理手順と同一であるので、対応する処理に同一のステップ番号を付してその説明を省略する。
【符号の説明】
【０１４６】
１  依頼者端末装置
１０  モニタ
１１  入力装置
２  事業者端末装置
２０  モニタ
２１  入力装置
３  サーバ
３０  モニタ
３１  入力装置
３００  ＣＰＵ
３０１  外部記憶部
３０２  可搬式記録媒体
３０３  通信部
３０４  主記憶部
３０５  補助記憶部
３０６  データベース通信部
３０７  情報出力Ｉ／Ｆ
３０８  情報入力Ｉ／Ｆ
３０９  タイマ
３１１  データベース管理部
３１２  通信制御部
３１３  修理依頼仲介制御部
３１４  進行状況管理部
３１５  保証期間仲介制御部
３１６  事業者評価演算部
４  データベース
５００  事業内容の一覧表示領域
５０１  見積依頼すべき事業者を選択するための入力欄
５０２  見積依頼の入力ボタン
５０３  各事業者を選択するための下線付きの事業者名
５０４  依頼内容の入力欄
５０５  送信ボタン
５０６  質問の入力ボタン
５０７  選択した各事業者の削除を要求する削除ボタン
５０８  お気に入り登録の入力ボタン
５０９  料金プランの表示領域
５１０  注文依頼の入力ボタン
５１１  依頼者からのメッセージの表示領域
５１２  見積書歴を要求する入力ボタン
５１３  見積書の入力欄
５１４  送信ボタン
５１５  見積書に関する情報の一覧表示領域
５１６  依頼内容の表示領域
５１７  削除すべき各事業者を選択するための入力欄
５１８  下線付きの事業者名
５１９  詳細情報の表示領域
５２０  注文依頼の入力ボタン
５２１  事業者へのメッセージの入力フォーム
５２２  送信ボタン
５２３  見積書履歴を要求する入力ボタン
５２４  取引の進行状況を示す表示領域
５２５  遷移要求の入力ボタン
５２６  相手方へのメッセージの入力フォーム
５２７  メッセージの送信ボタン
５２８  相手方からのメッセージ履歴の表示領域
５２９  相手からのメッセージの個別表示領域
５３０  評価コメントによる表示
５３１  顔表情アイコン
５３２  星アイコン
【図１】
2013210840.tif 000003
【図２】
2013210840.tif 000004
【図３】
2013210840.tif 000005
【図４】
2013210840.tif 000006
【図５】
2013210840.tif 000007
【図６】
2013210840.tif 000008
【図７】
2013210840.tif 000009
【図８】
2013210840.tif 000010
【図９】
2013210840.tif 000011
【図１０】
2013210840.tif 000012
【図１１】
2013210840.tif 000013
【図１２】
2013210840.tif 000014
【図１３】
2013210840.tif 000015
【図１４】
2013210840.tif 000016
【図１５】
2013210840.tif 000017
【図１６】
2013210840.tif 000018
【図１７】
2013210840.tif 000019
【図１８】
2013210840.tif 000020
【図１９】
2013210840.tif 000021
【図２０】
2013210840.tif 000022
【図２１】
2013210840.tif 000023
【図２２】
2013210840.tif 000024
【図２３】
2013210840.tif 000025
【図２４】
2013210840.tif 000026
【図２５】
2013210840.tif 000027
【図２６】
2013210840.tif 000028
【図２７】
2013210840.tif 000029
【図２８】
2013210840.tif 000030
【図２９】
2013210840.tif 000031
【図３０】
2013210840.tif 000032
【図３１】
2013210840.tif 000033
【図３２】
2013210840.tif 000034
【図３３】
2013210840.tif 000035
【図３４】
2013210840.tif 000036
【図３５】
2013210840.tif 000037